(57)【要約】  【課題】  ハイビジョン放送及び標準放送が混在するデジタル放送を受信するチューナを複数備える場合に、番組の記録予約を効率よく複数のチューナに対して割り当て、ユーザが希望する番組の予約記録を確実に行うことができる記録装置を提供する。  【解決手段】  記録装置の制御部１は、操作部５から新たな記録予約を受け付けた場合に、複数のチューナ２、２に対して割当の最適化を行う。最適化を行う場合、割当を行う記録予約が割当済みの記録予約と重複するか否かを判定し、記録予約の一部又は全部が重複するときに、重複する記録予約が同一のチューナ２、２で受信可能である場合は、重複する記録予約を同一のチューナ２、２に割り当てる。【選択図】      図１
2007019834.tif 000002
【特許請求の範囲】
【請求項１】
一又は複数の番組が含まれる放送信号の受信が可能な複数の受信手段と、該受信手段が受信する放送信号に含まれる番組を同時的に記録可能な記録手段と、前記受信手段及び前記記録手段による番組の記録に係る時刻を含む記録予約を受け付ける受付手段とを備え、前記記録予約に基づいて番組の記録を行う記録装置において、
前記受付手段が受け付けた記録予約が前記受信手段に割当可能であるか否かを、記録予約に係る時刻が重複するか否か、及び記録予約に係る番組を含む放送信号が同一であるか否かに基づいて判定する判定手段と、
前記受信手段に記録予約を割り当てる割当手段と
を備えることを特徴とする記録装置。
【請求項２】
前記割当手段は、
未割当の記録予約のうち記録の開始時刻が最も早い記録予約を割当対象の記録予約として選択する手段を有し、
該手段の選択に応じて記録予約の割り当てを順次行うようにしてある請求項１に記載の記録装置。
【請求項３】
前記割当手段は、
割当を行う記録予約が割当済みの記録予約に一部又は全部が重複する場合に、重複する記録予約に係る番組が同一の放送信号に含まれるか否かを判定する手段を有し、
該手段により同一の放送信号に含まれると判定された場合に、重複する記録予約を同じ受信手段に割り当てるようにしてある請求項１又は請求項２に記載の記録装置。
【請求項４】
前記割当手段は、
割当済みの記録予約のうち、記録の終了時刻が割当を行う記録予約の記録の開始時刻に最も近い記録予約を検索する手段を有し、
該手段が検索した記録予約が割り当てられている前記受信手段に記録予約の割当を行うようにしてある請求項１乃至請求項３のいずれか１つに記載の記録装置。
【請求項５】
前記受付手段が受け付けた記録予約が、前記割当手段により前記受信手段に割当不可能である場合に、割当ができない旨を出力する手段を備える請求項１乃至請求項４のいずれか１つに記載の記録装置。
【請求項６】
一又は複数の番組が含まれる放送信号の受信が可能な複数の受信手段と、該受信手段が受信する放送信号に含まれる番組を同時的に記録可能な記録手段と、前記受信手段及び前記記録手段による番組の記録に係る時刻を含む記録予約を受け付ける受付手段とを備える記録装置を用いて、前記受付手段が受け付けた記録予約を前記受信手段に割り当てる記録予約割当方法であって、
前記受付手段が受け付けた記録予約が前記受信手段に割当可能であるか否かを、記録予約に係る時刻が重複するか否か、及び記録予約に係る番組を含む放送信号が同一であるか否かに基づいて判定する判定ステップと、
前記受信手段に記録予約を割り当てる割当ステップと
を備えることを特徴とする記録予約割当方法。
【請求項７】
前記割当ステップは、
割当を行う記録予約が割当済みの記録予約に一部又は全部が重複する場合に、重複する記録予約に係る番組が同一の放送信号に含まれるか否かを判定するステップと、
該ステップにて同一の放送信号に含まれると判定された場合に、重複する記録予約を同じ受信手段に割り当てるステップと
を備える請求項６に記載の記録予約割当方法。
【請求項８】
前記割当ステップは、
未割当の記録予約のうち記録の開始時刻が最も早い記録予約を割当対象の記録予約として選択するステップと、
割当済みの記録予約のうち、記録の終了時刻が割当を行う記録予約の記録の開始時刻に最も近い記録予約を検索するステップと、
該ステップにて検索された記録予約が割り当てられている前記受信手段に前記割当対象の記録予約の割当を行うステップと
を備える請求項６又は請求項７に記載の記録予約割当方法。
【発明の詳細な説明】
【技術分野】
【０００１】
本発明は、複数の番組を含む映像信号を受信し、受信した複数の映像信号を平行して記録することができる記録装置に関し、また、この記録装置にて記録の予約を効率的に行うことができる記録予約割当方法に関する。
【背景技術】
【０００２】
近年、地上波デジタルテレビ放送が開始され、普及し始めている。地上波デジタルテレビ放送においては、高画質な映像を配信するハイビジョン放送と、標準画質の映像を配信する標準放送とを行うことができる。ハイビジョン放送と標準放送とでは、配信するデータ量に差があるため、標準放送を行う場合に、各放送局は２つ又は３つの番組を同時に配信することが可能である。このため、１つの放送局が同時間帯にスポーツ、ニュース及びドラマ等の異なる番組を配信でき、ユーザはこれらを選択して視聴することができる。
【０００３】
一方、従来からテレビ放送の録画にはビデオレコーダが用いられており、近年ではＤＶＤレコーダ及びハードディスクレコーダ等が普及している。これらの装置では、ユーザが予め録画の開始時刻及び終了時刻を設定しておくことにより、ユーザの留守中に番組の録画をすることが可能な予約録画の機能を備えている。また、複数のチューナを備えて、複数の番組を同時に録画することが可能な装置がある。
【０００４】
特許文献１においては、デジタル放送を受信可能なチューナを備え、チューナにて受信した番組をハードディスク及びＤＶＤに録画することが可能な記録再生装置が提案されており、ハードディスクに録画された番組を視聴しながらＤＶＤに他の番組を録画する機能、並びにハードディスク及びＤＶＤの残容量が少なくなった場合に録画対象を切り替える機能等を備えて使い勝手を向上している。
【特許文献１】特開２００４−１５９２２５号公報
【発明の開示】
【発明が解決しようとする課題】
【０００５】
しかしながら、特許文献１に記載の記録再生装置はデジタル放送を受信するチューナを１つ備える構成であり、複数のチューナを備えて複数の番組を同時に録画する場合については言及されていない。
【０００６】
従来、複数のチューナを備える装置では、複数の番組を予約して録画する場合、予約とチューナとの対応関係はユーザが設定する必要があり、特にハイビジョン放送及び標準放送が混在するデジタル放送においては、複数のチューナを必ずしも効率的に利用できず、本来録画可能な番組を録画できずにいた。
【０００７】
図１６及び図１７は、従来の記録装置におけるチューナへの予約の割り当てを示す模式図であり、記録装置が２つのチューナを備える場合を示している。１０：００から１１：００までＡ放送の標準放送のＣＨ１（チャンネル１）の録画を行う予約１、１０：３０から１１：３０までＡ放送の標準放送のＣＨ２の録画を行う予約２及び１２：００から１３：００までＢ放送のハイビジョン放送の録画を行う予約３が既に設定されている状態で、１０：４０から１１：４０までＣ放送の標準放送のＣＨ１の録画を行う予約４を設定するとき、図１６に示すように予約１及び予約２が別のチューナに割り当てられている場合には、予約４を割り当てることができないが、図１７に示すように予約１及び予約２が同じチューナに割り当てられている場合には、予約４を割り当てることができる。このように、予約１及び予約２は共にＡ放送であるため、１つのチューナで受信することが可能であるが、予約１及び予約２のチューナへの割り当てをユーザが適切に行わなければ予約４を設定できないと言う問題がある。
【０００８】
本発明は、斯かる事情に鑑みてなされたものであって、その目的とするところは、受信手段に対する記録予約の割当を、ユーザから受け付けた記録予約が既に割り当てられている記録予約と重複するか否か、及び既に割り当てられている記録予約と同一の受信手段で受信できるか否かに基づいて行う構成とすることにより、複数の受信手段を効率的に利用することができる記録装置を提供することにある。
【０００９】
また本発明の他の目的とするところは、受信手段に対する記録予約の割当を行う場合に、複数の記録予約の中の記録の開始時刻が早い順に受信手段への割当を行う構成とすることにより、効率よく確実に記録予約の割当を行うことができる記録装置を提供することにある。
【００１０】
また本発明の他の目的とするところは、記録予約に係る記録を行う時間の一部又は全部が重複するときに、重複する記録予約が同一の受信手段で受信可能である場合は、重複する記録予約を同一の受信手段に割り当てる構成とすることにより、受信手段を効率的に利用することができ、より多くの番組を記録することが可能な記録装置を提供することにある。
【００１１】
また本発明の他の目的とするところは、受信手段に対する記録予約の割当を行う場合に、既に割当済みの記録予約の中で、記録の終了時刻が割当を行う記録予約の記録の開始時刻に最も近い記録予約が割り当てられている受信手段に対して、記録予約の割当を行う構成とすることにより、受信手段に記録予約が割り当てられていない空き時間を連続した長時間とすることができる記録装置を提供することにある。
【００１２】
また本発明の他の目的とするところは、ユーザから受け付けた記録予約が、受信手段に割り当てできない場合に、割り当てできない旨を出力する構成とすることにより、ユーザに対して警告を与えることができる記録装置を提供することにある。
【００１３】
また本発明の他の目的とするところは、ユーザから受け付けた記録予約が既に割り当てられている記録予約と重複するか否か、及び既に割り当てられている記録予約と同一の受信手段で受信できるか否かに基づいて、記録予約が割当可能であるか否かを判定し、判定に基づいて記録予約を受信手段に割り当てることにより、複数の受信手段を効率的に利用することができる記録予約割当方法を提供することにある。
【００１４】
また本発明の他の目的とするところは、割当を行う記録予約の記録時間の一部又は全部が割当済みの記録予約に重複するときに、重複する記録予約が同一の受信手段で受信可能である場合は、重複する記録予約を同一の受信手段に割り当てることにより、受信手段を効率的に利用することができ、より多くの番組を記録することができる記録予約割当方法を提供することにある。
【００１５】
また本発明の他の目的とするところは、複数の記録予約の中の記録の開始時刻が早い順に受信手段への割当を行い、既に割当済みの記録予約の中で、記録の終了時刻が割当を行う記録予約の記録の開始時刻に最も近い記録予約が割り当てられている受信手段に対して、記録予約の割当を行うことにより、受信手段に記録予約が割り当てられていない空き時間を連続した長時間とすることができる記録予約割当方法を提供することにある。
【課題を解決するための手段】
【００１６】
本発明に係る記録装置は、一又は複数の番組が含まれる放送信号の受信が可能な複数の受信手段と、該受信手段が受信する放送信号に含まれる番組を同時的に記録可能な記録手段と、前記受信手段及び前記記録手段による番組の記録に係る時刻を含む記録予約を受け付ける受付手段とを備え、前記記録予約に基づいて番組の記録を行う記録装置において、前記受付手段が受け付けた記録予約が前記受信手段に割当可能であるか否かを、記録予約に係る時刻が重複するか否か、及び記録予約に係る番組を含む放送信号が同一であるか否かに基づいて判定する判定手段と、前記受信手段に記録予約を割り当てる割当手段とを備えることを特徴とする。
【００１７】
本発明においては、ユーザから受け付けた記録予約が既に割り当てられている記録予約と重複するか否か、及び既に割り当てられている記録予約と同一の受信手段で受信できるか否かに基づいて、受信手段に対する記録予約の割当を行う。これにより、１つの受信手段が複数の番組を含んだ放送信号を受信することが可能である場合に、記録予約を効率的に受信手段に割り当てできる。
【００１８】
また、本発明に係る記録装置は、前記割当手段が、未割当の記録予約のうち記録の開始時刻が最も早い記録予約を割当対象の記録予約として選択する手段を有し、該手段の選択に応じて記録予約の割り当てを順次行うようにしてあることを特徴とする。
【００１９】
本発明においては、受信手段に対する記録予約の割当を行う場合に、複数の記録予約の中の記録の開始時刻が早い順に受信手段への割当を行う。これにより、複数の記録予約を効率よく確実に受信手段に割り当てることができる。
【００２０】
また、本発明に係る記録装置は、前記割当手段が、割当を行う記録予約が割当済みの記録予約に一部又は全部が重複する場合に、重複する記録予約に係る番組が同一の放送信号に含まれるか否かを判定する手段を有し、該手段により同一の放送信号に含まれると判定された場合に、重複する記録予約を同じ受信手段に割り当てるようにしてあることを特徴とする。
【００２１】
本発明においては、割当を行う記録予約が割当済みの記録予約と重複するか否かを判定し、記録予約の一部又は全部が重複するときに、重複する記録予約が同一の受信手段で受信可能である場合は、重複する記録予約を同一の受信手段に割り当てる。これにより、その他の受信手段に別の記録予約を割り当てることが可能となり、より多くの、最大で受信手段の数及び１つの放送信号に含まれる番組数の積数の予約記録を行うことができる。
【００２２】
また、本発明に係る記録装置は、前記割当手段が、割当済みの記録予約のうち、記録の終了時刻が割当を行う記録予約の記録の開始時刻に最も近い記録予約を検索する手段を有し、該手段が検索した記録予約が割り当てられている前記受信手段に記録予約の割当を行うようにしてあることを特徴とする。
【００２３】
本発明においては、受信手段に対する記録予約の割当を行う場合に、既に割当済みの記録予約の中で、記録の終了時刻が割当を行う記録予約の記録の開始時刻に最も近い記録予約が割り当てられている受信手段に対して、記録予約の割当を行う。先の記録予約の終了時刻と後の記録予約の開始時刻とを近づけて割り当てることにより、その他の記録リソースの連続した空き時間が長時間になり、新たな記録予約を割り当てやすくできる。
【００２４】
また、本発明に係る記録装置は、前記受付手段が受け付けた記録予約が、前記割当手段により前記受信手段に割当不可能である場合に、割当ができない旨を出力する手段を備えることを特徴とする。
【００２５】
本発明においては、ユーザから受け付けた記録予約が、受信手段に割り当てできない場合に、割り当てできない旨を出力して、ユーザに対して警告を与える。これにより、ユーザに記録予約の削除又は修正等を行うように促すことができる。
【００２６】
また、本発明に係る記録予約割当方法は、一又は複数の番組が含まれる放送信号の受信が可能な複数の受信手段と、該受信手段が受信する放送信号に含まれる番組を同時的に記録可能な記録手段と、前記受信手段及び前記記録手段による番組の記録に係る時刻を含む記録予約を受け付ける受付手段とを備える記録装置を用いて、前記受付手段が受け付けた記録予約を前記受信手段に割り当てる記録予約割当方法であって、前記受付手段が受け付けた記録予約が前記受信手段に割当可能であるか否かを、記録予約に係る時刻が重複するか否か、及び記録予約に係る番組を含む放送信号が同一であるか否かに基づいて判定する判定ステップと、前記受信手段に記録予約を割り当てる割当ステップとを備えることを特徴とする。
【００２７】
本発明においては、ユーザから受け付けた記録予約が既に割り当てられている記録予約と重複するか否か、及び既に割り当てられている記録予約と同一の受信手段で受信できるか否かに基づいて、記録予約が割当可能であるか否かを判定し、判定に基づいて記録予約を受信手段に割り当てる。これにより、１つの受信手段が複数の番組を含んだ放送信号を受信することが可能である場合に、記録予約を効率的に受信手段に割り当てできる。
【００２８】
また、本発明に係る記録予約割当方法は、前記割当ステップが、割当を行う記録予約が割当済みの記録予約に一部又は全部が重複する場合に、重複する記録予約に係る番組が同一の放送信号に含まれるか否かを判定するステップと、該ステップにて同一の放送信号に含まれると判定された場合に、重複する記録予約を同じ受信手段に割り当てるステップとを備えることを特徴とする。
【００２９】
本発明においては、割当を行う記録予約の記録時間の一部又は全部が割当済みの記録予約に重複するときに、重複する記録予約が同一の受信手段で受信可能である場合は、重複する記録予約を同一の受信手段に割り当てる。これにより、その他の受信手段に別の記録予約を割り当てることが可能となり、より多くの番組を同一時間帯に記録することができる。
【００３０】
また、本発明に係る記録予約割当方法は、前記割当ステップが、未割当の記録予約のうち記録の開始時刻が最も早い記録予約を割当対象の記録予約として選択するステップと、割当済みの記録予約のうち、記録の終了時刻が割当を行う記録予約の記録の開始時刻に最も近い記録予約を検索するステップと、該ステップにて検索された記録予約が割り当てられている前記受信手段に前記割当対象の記録予約の割当を行うステップとを備えることを特徴とする。
【００３１】
本発明においては、複数の記録予約の中の記録の開始時刻が早い順に受信手段への割当を行い、既に割当済みの記録予約の中で、記録の終了時刻が割当を行う記録予約の記録の開始時刻に最も近い記録予約が割り当てられている受信手段に対して、記録予約の割当を行う。先の記録予約の終了時刻と後の記録予約の開始時刻とを近づけて割り当てることにより、その他の記録リソースの連続した空き時間が長時間になり、新たな記録予約を割り当てやすくできる。
【発明の効果】
【００３２】
本発明による場合は、受信手段に対する記録予約の割当を、ユーザから受け付けた記録予約が既に割り当てられている記録予約と重複するか否か、及び既に割り当てられている記録予約と同一の受信手段で受信できるか否かに基づいて行う構成とすることにより、複数の受信手段を効率的に利用して重複する番組の予約記録を行うことができるため、ユーザが希望する番組の予約記録を確実に行うことができる。
【００３３】
また、本発明による場合は、受信手段に対する記録予約の割当を行う場合に、複数の記録予約の中の記録の開始時刻が早い順に受信手段への割当を行う構成とすることにより、効率よく確実に記録予約の割当を行うことができる。
【００３４】
また、本発明による場合は、記録予約に係る記録を行う時間の一部又は全部が重複するときに、重複する記録予約が同一の受信手段で受信可能である場合は、重複する記録予約を同一の受信手段に割り当てる構成とすることにより、受信手段を効率的に利用することができ、より多くの番組を記録することができるため、ユーザが希望する番組の予約記録を確実に行うことができる。
【００３５】
また、本発明による場合は、受信手段に対する記録予約の割当を行う場合に、既に割当済みの記録予約の中で、記録の終了時刻が割当を行う記録予約の記録の開始時刻に最も近い記録予約が割り当てられている受信手段に対して、記録予約の割当を行う構成とすることにより、受信手段に記録予約が割り当てられていない空き時間を連続した長時間とすることができ、新たな記録予約を割り当てやすくできるため、効率よく確実に記録予約の割当を行うことができる。
【００３６】
また、本発明による場合は、ユーザから受け付けた記録予約が、受信手段に割り当てできない場合に、割り当てできない旨を出力する構成とすることにより、ユーザに対して警告を与えることができるため、ユーザが記録予約の削除又は修正等を行うことができ、ユーザが希望する番組の予約を確実に行うことができる。
【００３７】
また、本発明による場合は、ユーザから受け付けた記録予約が既に割り当てられている記録予約と重複するか否か、及び既に割り当てられている記録予約と同一の受信手段で受信できるか否かに基づいて、記録予約が割当可能であるか否かを判定し、判定に基づいて記録予約を受信手段に割り当てることにより、複数の受信手段を効率的に利用して重複する番組の予約記録を行うことができるため、ユーザが希望する番組の予約記録を確実に行うことができる。
【００３８】
また、本発明による場合は、割当を行う記録予約の記録時間の一部又は全部が割当済みの記録予約に重複するときに、重複する記録予約が同一の受信手段で受信可能である場合は、重複する記録予約を同一の受信手段に割り当てることにより、受信手段を効率的に利用することができ、より多くの番組を記録することができるため、ユーザが希望する番組の予約記録を確実に行うことができる。
【００３９】
また、本発明による場合は、複数の記録予約の中の記録の開始時刻が早い順に受信手段への割当を行い、既に割当済みの記録予約の中で、記録の終了時刻が割当を行う記録予約の記録の開始時刻に最も近い記録予約が割り当てられている受信手段に対して、記録予約の割当を行うことにより、受信手段に記録予約が割り当てられていない空き時間を連続した長時間とすることができ、新たな記録予約を割り当てやすくできるため、効率よく確実に記録予約の割当を行うことができる。
【発明を実施するための最良の形態】
【００４０】
以下、本発明をその実施の形態を示す図面に基づき具体的に説明する。図１は、本発明に係るハードディスクレコーダの構成を示すブロック図である。図において１はハードディスクレコーダの制御部であり、制御部１はハードディスクレコーダの各部を制御して、２つのチューナ２、２が受信した放送信号に係る番組をハードディスク６に記録する、又はハードディスクレコーダに接続された外部の表示装置５１に番組を表示する等の処理を行う。
【００４１】
ハードディスクレコーダは、デジタルの放送信号を受信する２つのチューナ２、２を備えており、高画質のハイビジョン放送及び標準画質の標準放送を受信することができる。チューナ２、２が受信するデジタルの放送信号はＭＰＥＧ方式で圧縮された動画データであり、ハイビジョン放送の場合には１つの番組で１つの動画データが構成され、標準放送の場合には複数の番組で１つの動画データが構成されている。
【００４２】
図２は、デジタル放送の放送例を示す模式図である。例えば、Ａ放送局では６時台及び８時台にハイビジョン放送を行い、７時台に３つの標準放送を行っており、また、Ｂ放送局及びＣ放送局でもハイビジョン放送及び標準放送を組み合わせて様々な番組を提供している。ユーザは、ハイビジョン放送の番組の視聴を行う場合、目的の放送局を選択することでハイビジョン放送の番組を視聴することができ、また、標準放送の番組の視聴を行う場合は、目的の放送局及び３つのチャンネルのいずれかを選択することで標準放送の番組を視聴することができる。
【００４３】
チューナ２、２が受信した放送信号に係る動画データは制御部１に与えられており、動画データをＣＲＴモニタ又は液晶モニタ等の表示装置５１に表示する場合には、制御部１は動画データをデコーダ４に与え、デコーダ４にて圧縮されている動画データの伸張を行う。伸張された動画データはデコーダ４から出力部３へ与えられ、出力部３にてモニタ出力用の信号に変換されて表示装置５１に与えられ、表示装置５１にて動画の表示が行われる。このとき、動画データが標準放送のものである場合には、制御部１はチューナ２、２から与えられた動画データから１つの標準放送の番組に関する動画データを抽出し、目的の番組に関する動画データのみをデコーダ４へ与えるようにしてある。
【００４４】
チューナ２、２からの動画データをハードディスク６に記録する場合は、制御部１は動画データをハードディスクコントローラ７へ与え、ハードディスクコントローラ７により動画データの記録が行われる。ハードディスクコントローラ７は、ハイビジョン放送の場合には同時に２つの番組をハードディスク６に記録することができ、標準放送の場合には同時に６つの番組をハードディスク６に記録することができ、また１つのハイビジョン放送と３つのハイビジョン放送とを同時に記録することができる。記録を行う動画データが標準放送のものである場合には、制御部１はチューナ２、２から与えられた動画データから１つの標準放送の番組に関する動画データを抽出し、目的の番組に関する動画データのみをハードディスクコントローラ７へ与えるようにしてある。
【００４５】
ハードディスク６に記録済みの動画データを表示装置５１に表示する場合には、ハードディスクコントローラ７がハードディスク６から動画データを読み出して制御部１へ与え、デコーダ４及び出力部３により表示装置５１に動画データが表示される。また、ハードディスクコントローラ７は、ハードディスク６に記録を行う処理と平行して、ハードディスク６に既に記録されている動画データの読み出しを行うことができる。ただし、実際にはハードディスクコントローラは７は、動画データの読み出し及び動画データの記録を時分割で交互に切り替えて行い、複数の処理を同時に行っているように見せている。
【００４６】
また、ハードディスクレコーダは、複数のボタンを有する操作部５を備えており、操作部５のボタンを操作することにより、ユーザは選局、番組の記録、番組の再生及び番組の記録予約の設定等を行うことができる。また、ハードディスクレコーダは、マスクＲＯＭ又はフラッシュメモリ等により構成されるＲＯＭ８と、ＤＲＡＭ、ＳＲＡＭ又はフラッシュメモリ等により構成されるＲＡＭ９とを備えている。ＲＯＭ８には制御部１により実行されるプログラムが記憶してあり、ハードディスクレコーダの電源投入後に制御部１がＲＯＭ８からプログラムを読み出して処理を開始するようにしてある。ＲＡＭ９には、ハードディスクレコーダの動作に係る設定値を一時的に記憶しておくことが可能であり、特に、番組の記録予約を記憶することに用いられる。
【００４７】
本発明に係るハードディスクレコーダは、同一時間帯に複数の番組を記録することが可能であるため、２つのチューナ２、２にて同一時間帯に受信することが可能な番組の範囲内で、記録時間の一部又は全部が重複する記録予約を設定することが可能である。ユーザが操作部５から新たな記録予約を入力した場合に、制御部１は、新たな記録予約に係る記録時間帯にチューナ２、２にて目的の番組を受信することが可能であるか否かを判断し、記録予約をチューナ２、２に割り当てる処理を行う。
【００４８】
図３及び図４は、本発明の実施の形態１に係るハードディスクレコーダの制御部１が行うチューナ２、２への記録予約の割当処理を示すフローチャートである。まず、制御部１はユーザにより操作部５から新たな記録予約が入力されたか否かを調べ（ステップＳ１）、新たな記録予約が入力されていない場合には（Ｓ１：ＮＯ）、新たな記録予約が入力されるまで待機する。
【００４９】
新たな記録予約が入力された場合（Ｓ１：ＹＥＳ）、新たな記録予約が２つのチューナ２、２（第１チューナ及び第２チューナ）に割当可能であるか否かを調べる（ステップＳ２）。このとき、新たな記録予約とチューナ２、２に既に割り当てられている記録予約との記録時間に重複があるか否かを調べ、少なくともどちらか一方のチューナ２、２に記録時間が重複する記録予約が割り当てられていない場合には、新たな記録予約を割当可能と判断する。また、記録時間に重複がある場合に、重複する記録予約の番組が同じチューナ２、２にて受信可能であれば受信可能と判断する。
【００５０】
新たな記録予約がチューナ２、２に割当不可能である場合（Ｓ２：ＮＯ）、ユーザに新たな記録予約に係る番組の記録が行うことができない旨のエラーメッセージを表示して（ステップＳ３）、処理を終了する。新たな記録予約が割当可能である場合（Ｓ２：ＹＥＳ）、既に割当済みの記録予約の割当を全て解除して（ステップＳ４）、新たな記録予約を含めて再割当を行い、チューナ２、２への記録予約の割当を最適化する。
【００５１】
記録予約の再割当は、まず、未割当の記録予約の中で記録の開始時刻が最も早い記録予約を選択し（ステップＳ５）、選択した記録予約と重複する記録予約が第１チューナに既に割り当てられているか否かを調べる（ステップＳ６）。重複する記録予約が第１チューナに既に割り当てられている場合（Ｓ６：ＹＥＳ）、更に選択した記録予約及び重複する割当済みの記録予約が同一のチューナ２、２で受信可能であるか否かを調べ（ステップＳ７）、同一のチューナ２、２で受信可能である場合には（Ｓ７：ＹＥＳ）、選択した記録予約を第１チューナに割り当て（ステップＳ９）、同一のチューナ２、２で受信できない場合には（Ｓ７：ＮＯ）、新たな記録予約を第２チューナに割り当てる（ステップＳ８）。
【００５２】
ステップＳ６にて、第１チューナに重複する記録予約が割り当てられていない場合（Ｓ６：ＮＯ）、選択した記録予約と重複する記録予約が第２チューナに既に割り当てられているか否かを調べる（ステップＳ１０）。重複する記録予約が第２チューナに既に割り当てられている場合（Ｓ１０：ＹＥＳ）、更に選択した記録予約及び重複する割当済みの記録予約が同一のチューナ２、２で受信可能であるか否かを調べ（ステップＳ１１）、同一のチューナ２、２で受信可能である場合には（Ｓ１１：ＹＥＳ）、選択した記録予約を第２チューナに割り当て（ステップＳ１３）、同一のチューナ２、２で受信できない場合には（Ｓ１１：ＮＯ）、選択した記録予約を第１チューナに割り当てる（ステップＳ１２）。
【００５３】
ステップＳ１０にて、選択した記録予約と重複する記録予約が第２チューナに割り当てられていない場合（Ｓ１０：ＮＯ）、両チューナ２、２に重複する記録予約が割り当てられておらず、選択した記録予約を両チューナ２、２に割当可能であるため、どちらのチューナ２、２に割り当てるかの判断を行う。まず、既に割り当てられている記録予約の中で記録の終了時刻が最も遅い記録予約を探す（ステップＳ１４）。記録予約の割当を記録の開始時刻が早い順に行っているため、記録の終了時刻が遅い記録予約を探すことで、選択した記録予約の開始時刻に記録の終了時刻が最も近い記録予約を探すことができる。終了時刻が最も遅い記録予約が第１チューナに割り当てられているか否かを調べ（ステップＳ１５）、第１チューナに割り当てられている場合には（Ｓ１５：ＹＥＳ）、選択した記録予約を第１チューナに割り当てる（ステップＳ１６）。終了時刻が最も遅い記録予約が第１チューナに割り当てられていない場合は（Ｓ１５：ＮＯ）、第２チューナに割り当てられているか否かを調べ（ステップＳ１７）、第２チューナに割り当てられている場合には（Ｓ１７：ＹＥＳ）、選択した記録予約を第２チューナに割り当てる（ステップＳ１８）。
【００５４】
ステップＳ１７にて、終了時刻が最も遅い記録予約が第２チューナに割り当てられていない場合は（Ｓ１７：ＮＯ）、両チューナ２、２に記録予約が未割り当ての状態であるので、デフォルトの処理として、選択された記録予約を第１チューナに割り当てる（ステップＳ１９）。
【００５５】
以上のフローにより、選択した記録予約が第１チューナ又は第２チューナに割り当てられるため、制御部１は全ての記録予約について割り当てが終了したか否かを調べ（ステップＳ２０）、未割当の記録予約が存在する場合には（Ｓ２０：ＮＯ）、ステップＳ５へ戻って未割当の記録予約から記録の開始時刻が最も早い記録予約を選択し、チューナ２、２への割当を行う。全ての記録予約の割当が終了した場合は（Ｓ２０：ＹＥＳ）、処理を終了する。
【００５６】
図５乃至図１３は、本発明に係るハードディスクレコーダの制御部１が行うチューナ２、２への記録予約の割当例を示す模式図であり、図５から図１３へ順に、制御部１が行う処理を時系列で示してある。例えば、既に割当済みの記録予約として、第１チューナに１０：００から１１：００までＡ放送のハイビジョン放送を記録する予約１、１１：３０から１２：１０までＣ放送の標準放送のＣＨ１を記録する予約３、及び１２：２０から１３：００までＢ放送の標準放送のＣＨ２を記録する予約４が割り当てられており、第２チューナに１０：１０から１０：４０までＢ放送の標準放送のＣＨ１を記録する予約２、及び１２：３０から１３：１０までＡ放送のハイビジョン放送を記録する予約５が割り当てられている場合に（図５参照）、新たな記録予約として１０：５０から１２：００までＣ放送の標準放送のＣＨ２を記録する予約６を入力する。
【００５７】
制御部１は、まず、予約６が第１チューナ又は第２チューナに割当可能であるか否かの判断を行う。予約６は、予約１及び予約３と記録時間が一部重複するため、第１チューナに割り当てることはできないが、第２チューナには記録時間が重複する記録予約が割り当てられておらず、第２チューナに割り当てることが可能であるため、割当可能と判断する（図６参照）。
【００５８】
予約６が割当可能であると判断されたため、次いで予約１〜予約６の第１チューナ及び第２チューナへの再割り当てを行って、割当を最適化する。まず、予約１〜予約６の中で記録の開始時刻が最も早い予約１の割当を行う。予約１は、第１チューナ及び第２チューナのどちらにも割り当てることが可能であり、割当済みの記録予約が他に存在しないため、第１チューナに割り当てる（図７参照）。これは上述のフローチャートにおけるステップＳ１９に相当する。
【００５９】
次いで、未割当の記録予約の中で記録の開始時刻が最も早い予約２の割当を行う。予約２は、予約１と記録時間が重複し、且つ、予約１と同じチューナで受信できないため、第２チューナに割り当てる（図８参照）。これはフローチャートのステップＳ８に相当する。
【００６０】
次いで、未割当の記録予約の中で記録の開始時刻が最も早い予約６の割当を行う。予約６は、予約１と記録時間が重複し、且つ、予約１と同じチューナで受信できないため、第２チューナに割り当てる（図９参照）。これはフローチャートのステップＳ８に相当する。
【００６１】
次いで、未割当の記録予約の中で記録の開始時刻が最も早い予約３の割当を行う。予約３は、予約６と記録時間が重複するが、予約３及び予約６は共にＣ放送であるため、同一のチューナにて受信することが可能である。このため、予約３を予約６と同じ第２チューナに割り当てる（図１０参照）。これはフローチャートのステップＳ１３に相当する。
【００６２】
次いで、未割当の記録予約の中で記録の開始時刻が最も早い予約４の割当を行う。予約４は、記録時間が重複する記録予約が第１チューナ及び第２チューナの両方に存在しないため、両チューナ２、２に割り当てることが可能である。この場合、第１チューナ及び第２チューナに既に割当済みの記録予約の中で、記録の終了時刻が最も遅いものは予約３であるので、予約３が割り当てられている第２チューナに予約４を割り当てる（図１１参照）。これはフローチャートのステップＳ１８に相当する。
【００６３】
最後に、未割当の予約５の割当を行う。予約５は、予約４と記録時間が重複し、且つ、予約４と同じチューナで受信できないため、第１チューナに割り当てる（図１２参照）。これはフローチャートのステップＳ１２に相当する。
【００６４】
以上により、記録予約のチューナ２、２への割当の最適化が完了し、例えばこの後に、１１：２０から１２：２０までＤ放送の標準放送のＣＨ３の記録を行う予約７を新たに入力した場合、第１チューナに割当可能である（図１３参照）。もし、記録予約の最適化を行わず、予約６を第２チューナに割り当てていた場合には（図６参照）、予約７は第１チューナの予約３と第２チューナの予約６との両方に重複するため、予約７を割り当てることができない。
【００６５】
実施の形態１に係るハードディスクレコーダにおいては、重複する記録予約が同一のチューナ２、２で受信可能である場合には重複する記録予約を同一のチューナ２、２に割り当てることにより、より多くの記録予約を割当可能とできる。また、記録予約のチューナ２、２への割当の最適化を予め行い、最適化処理を行う場合に、既に割当済みの記録予約の中で、記録の終了時刻が割当を行う記録予約の記録の開始時刻に最も近い記録予約が割り当てられているチューナ２、２に対して、記録予約の割り当てておくことにより、チューナ２、２の記録予約が割り当てられていない連続した空き時間を長くできるため、新たな記録予約が入力された場合に、新たな記録予約が割当可能であるか否かを簡単に判断でき、また、複数のチューナ２、２を効率よく使用することができるため、ユーザの使い勝手を向上することができる。
【００６６】
なお、本実施の形態においては、ハードディスクレコーダが２つのチューナ２を備える構成を示したが、これに限るものではなく、３つ以上のチューナ２を備える構成であってもよい。また、ハードディスク６を１つ備えて、ハードディスクコントローラ７が複数の番組を時分割で記録する構成を示したが、これに限るものではなく、複数のハードディスク６を備えて複数の番組を同時に記録する構成であってもよい。また、記録装置としてハードディスクレコーダを例に説明を行ったが、これに限るものではなく、ＤＶＤディスク又はブルーレイディスク等のその他の記録媒体に番組を記録する記録装置であっても同様の構成を適用することができる。また、図３及び図４に示すフローチャートにおいては、新たな記録予約が入力される毎に、記録予約の割当の最適化を行う構成を示したが、これに限るものではなく、例えば、通常は入力された記録予約を重複しないように適宜割り当てておき、割り当てが不可能である場合のみ最適化処理を行う構成であってもよく、ユーザが最適化処理を行う命令を与えた場合に最適化処理を行う構成であってもよい。
【００６７】
（実施の形態２）
実施の形態２に係るハードディスクレコーダは、１つのハイビジョン放送又は３つの標準放送を受信することができるデジタル放送用のチューナではなく、アナログの標準放送を１つ受信することができるアナログ放送用の２つのチューナ２、２を備えている。
【００６８】
図１４及び図１５は、本発明の実施の形態２に係るハードディスクレコーダの制御部１が行うチューナ２、２への記録予約の割当処理を示すフローチャートである。まず、制御部１はユーザにより操作部５から新たな記録予約が入力されたか否かを調べ（ステップＳ３１）、新たな記録予約が入力されていない場合には（Ｓ３１：ＮＯ）、新たな記録予約が入力されるまで待機する。
【００６９】
新たな記録予約が入力された場合（Ｓ３１：ＹＥＳ）、新たな記録予約が２つのチューナ２、２に割当可能であるか否かを調べる（ステップＳ３２）。このとき、新たな記録予約とチューナ２、２に既に割り当てられている記録予約との記録時間に重複があるか否かを調べ、少なくともどちらか一方のチューナ２、２に記録時間が重複する記録予約が割り当てられていない場合には、新たな記録予約を割当可能と判断する。
【００７０】
新たな記録予約がチューナ２、２に割当不可能である場合（Ｓ３２：ＮＯ）、ユーザに新たな記録予約に係る番組の記録が行うことができない旨のエラーメッセージを表示して（ステップＳ３３）、処理を終了する。新たな記録予約が割当可能である場合（Ｓ３２：ＹＥＳ）、既に割当済みの記録予約の割当を全て解除して（ステップＳ３４）、新たな記録予約を含めて再割当を行い、チューナ２、２への記録予約の割当を最適化する。
【００７１】
記録予約の再割当は、まず、未割当の記録予約の中で記録の開始時刻が最も早い記録予約を選択し（ステップＳ３５）、第１チューナに選択した記録予約と重複する記録予約が既に割り当てられているか否かを調べる（ステップＳ３６）。第１チューナに重複する記録予約が既に割り当てられている場合は（Ｓ３６：ＹＥＳ）、選択した記録予約を第２チューナに割り当てる（ステップＳ３７）。
【００７２】
ステップＳ３６にて、第１チューナに重複する記録予約が割り当てられていない場合（Ｓ３６：ＮＯ）、第２チューナに選択した記録予約と重複する記録予約が既に割り当てられているか否かを調べる（ステップＳ３８）。第２チューナに重複する記録予約が既に割り当てられている場合（Ｓ３８：ＹＥＳ）、選択した記録予約を第１チューナに割り当てる（ステップＳ３９）。
【００７３】
ステップＳ３８にて、選択した記録予約と重複する記録予約が第２チューナに割り当てられていない場合（Ｓ３８：ＮＯ）、両チューナ２、２に重複する記録予約が割り当てられておらず、選択した記録予約を両チューナ２、２に割当可能であるため、どちらのチューナ２、２に割り当てるかの判断を行う。まず、既に割り当てられている記録予約の中で記録の終了時刻が最も遅い記録予約を探す（ステップＳ４０）。終了時刻が最も遅い記録予約が第１チューナに割り当てられているか否かを調べ（ステップＳ４１）、第１チューナに割り当てられている場合には（Ｓ４１：ＹＥＳ）、選択した記録予約を第１チューナに割り当てる（ステップＳ４２）。終了時刻が最も遅い記録予約が第１チューナに割り当てられていない場合は（Ｓ４１：ＮＯ）、第２チューナに割り当てられているか否かを調べ（ステップＳ４３）、第２チューナに割り当てられている場合には（Ｓ４３：ＹＥＳ）、選択した記録予約を第２チューナに割り当てる（ステップＳ４４）。
【００７４】
ステップＳ４３にて、終了時刻が最も遅い記録予約が第２チューナに割り当てられていない場合は（Ｓ４３：ＮＯ）、両チューナ２、２に記録予約が未割り当ての状態であるので、デフォルトの処理として、選択された記録予約を第１チューナに割り当てる（ステップＳ４５）。
【００７５】
以上のフローにより、選択した記録予約が第１チューナ又は第２チューナに割り当てられるため、制御部１は全ての記録予約について割り当てが終了したか否かを調べ（ステップＳ４６）、未割当の記録予約が存在する場合には（Ｓ４６：ＮＯ）、ステップＳ３５へ戻って未割当の記録予約から記録の開始時刻が最も早い記録予約を選択し、チューナ２、２への割当を行う。全ての記録予約の割当が終了した場合は（Ｓ４６：ＹＥＳ）、処理を終了する。
【００７６】
実施の形態２に係るハードディスクレコーダにおいては、記録予約のチューナ２、２への割当の最適化を予め行い、最適化処理を行う場合に、既に割当済みの記録予約の中で、記録の終了時刻が割当を行う記録予約の記録の開始時刻に最も近い記録予約が割り当てられているチューナ２、２に対して、記録予約の割り当てておくことにより、チューナ２、２の記録予約が割り当てられていない連続した空き時間を長くできるため、新たな記録予約が入力された場合に、新たな記録予約が割当可能であるか否かを簡単に判断でき、また、複数のチューナ２、２を効率よく使用することができるため、ユーザの使い勝手を向上することができる。
【００７７】
なお、実施の形態２に係るハードディスクレコーダのその他の構成は、実施の形態１に係るハードディスクレコーダの構成と同様であるため、対応する箇所には同じ符号を付して詳細な説明を省略する。
【図面の簡単な説明】
【００７８】
【図１】本発明に係るハードディスクレコーダの構成を示すブロック図である。
【図２】デジタル放送の放送例を示す模式図である。
【図３】本発明の実施の形態１に係るハードディスクレコーダの制御部が行うチューナへの記録予約の割当処理を示すフローチャートである。
【図４】本発明の実施の形態１に係るハードディスクレコーダの制御部が行うチューナへの記録予約の割当処理を示すフローチャートである。
【図５】本発明に係るハードディスクレコーダの制御部が行うチューナへの記録予約の割当例を示す模式図である。
【図６】本発明に係るハードディスクレコーダの制御部が行うチューナへの記録予約の割当例を示す模式図である。
【図７】本発明に係るハードディスクレコーダの制御部が行うチューナへの記録予約の割当例を示す模式図である。
【図８】本発明に係るハードディスクレコーダの制御部が行うチューナへの記録予約の割当例を示す模式図である。
【図９】本発明に係るハードディスクレコーダの制御部が行うチューナへの記録予約の割当例を示す模式図である。
【図１０】本発明に係るハードディスクレコーダの制御部が行うチューナへの記録予約の割当例を示す模式図である。
【図１１】本発明に係るハードディスクレコーダの制御部が行うチューナへの記録予約の割当例を示す模式図である。
【図１２】本発明に係るハードディスクレコーダの制御部が行うチューナへの記録予約の割当例を示す模式図である。
【図１３】本発明に係るハードディスクレコーダの制御部が行うチューナへの記録予約の割当例を示す模式図である。
【図１４】本発明の実施の形態２に係るハードディスクレコーダの制御部が行うチューナへの記録予約の割当処理を示すフローチャートである。
【図１５】本発明の実施の形態２に係るハードディスクレコーダの制御部が行うチューナへの記録予約の割当処理を示すフローチャートである。
【図１６】従来の記録装置におけるチューナへの予約の割り当てを示す模式図である。
【図１７】従来の記録装置におけるチューナへの予約の割り当てを示す模式図である。
【符号の説明】
【００７９】
１  制御部
２  チューナ
４  デコーダ
５  操作部
６  ハードディスク
７  ハードディスクコントローラ
【図１】
2007019834.tif 000003
【図２】
2007019834.tif 000004
【図３】
2007019834.tif 000005
【図４】
2007019834.tif 000006
【図５】
2007019834.tif 000007
【図６】
2007019834.tif 000008
【図７】
2007019834.tif 000009
【図８】
2007019834.tif 000010
【図９】
2007019834.tif 000011
【図１０】
2007019834.tif 000012
【図１１】
2007019834.tif 000013
【図１２】
2007019834.tif 000014
【図１３】
2007019834.tif 000015
【図１４】
2007019834.tif 000016
【図１５】
2007019834.tif 000017
【図１６】
2007019834.tif 000018
【図１７】
2007019834.tif 000019